(57)【要約】【課題】安価で、充電の信頼性が高い利便性に富んだコネクタ４を提供する。【解決手段】一端が携帯電話機と接続される携帯側端子部１６をなし、他端が携帯電話機用充電器と接続される充電器側端子部１９をなす端子部１３と、携帯側端子部１６が突出し充電器側端子部１９を内包した状態で、端子部１３を上下から挟み込んで一体化される上下のコネクタケース１１，１２とを備え、かつ、携帯電話機用充電器に挿着した際に、当該携帯電話機用充電器に設けられている係合突起が係合して離脱が規制される係合溝を上コネクタケース１１の上面に形成する。【選択図】      図４
2006006095.tif 000002
【特許請求の範囲】
【請求項１】
種々の方式の携帯電話機に充電電力を供給する電池が収納される充電器本体と、
前記携帯電話機における電源端子の仕様に対応して形成されて、当該電源端子に挿脱可能に設けられた携帯側端子部と、前記充電器本体の先端に形成されたコネクタ挿入孔に挿脱可能に設けられた充電器側端子部とを備えるコネクタとを有し、かつ、
該コネクタの面に、前記コネクタ挿入孔内に設けられている係合突起と係合する係合溝が形成されて、前記携帯電話機に適合した仕様の前記携帯側端子部を持つ前記コネクタを選択し、その前記充電器側端子部を前記コネクタ挿入孔に挿着して、前記係合溝と係合突起と係合させることにより前記充電器本体から当該コネクタの離脱を規制し、当該係合を解除すると前記コネクタが前記充電器本体から離脱できるようにしたことを特徴とする携帯電話機用充電器。
【請求項２】
種々の方式の携帯電話機に充電電力を供給する電池が収納される充電器本体と、
前記携帯電話機における電源端子の仕様に対応して形成され、当該電源端子に挿脱可能に設けられた携帯側端子部と、前記充電器本体の先端に形成されたコネクタ挿入孔に挿脱可能に設けられた充電器側端子部と、前記携帯側端子部と充電器側端子部との間に設けられて、当該携帯側端子部及び充電器側端子部と形状が異なる一定仕様の基台と、少なくとも該基台を包嵌するコネクタケースと、該コネクタケースの面に設けられた係合溝と、この係合溝と同一面又は異なる面に設けられた複数の端子板とを備えるコネクタとを有し、かつ、
前記コネクタ挿入孔に前記コネクタを挿着した際に、弾性体で付勢されて前記係合溝の底面を押圧しながら当該係合溝に係合する係合突起と、前記端子板と当接して弾性変形することにより当該端子板を押圧して該端子板と密に接触する電力供給端子と、を前記コネクタ挿入孔に設けたことを特徴とする携帯電話機用充電器。
【請求項３】
種々の方式の携帯電話機に充電電力を供給する電池が収納される充電器本体と、
前記携帯電話機における電源端子の仕様に対応して形成され、当該電源端子に挿脱可能に設けられた携帯側端子部と、前記充電器本体の先端に形成されたコネクタ挿入孔に挿脱可能に設けられた充電器側端子部と、前記充電器側端子部が内包されると共に、前記携帯側端子部が突出するように設けられたコネクタケースと、該コネクタケースの１の面に形成された係合溝と、該係合溝が形成された面と同一面又は異なる面に設けられて、前記充電器側端子部に電気的に接続された前記複数の端子板とを備えるコネクタとを有し、かつ、
前記コネクタ挿入孔に前記コネクタを挿着した際に、弾性体で付勢されて前記係合溝の底面を押圧しながら当該係合溝に係合する係合突起と、前記端子板と当接して弾性変形することにより当該端子板を押圧して該端子板と密に接触する電力供給端子と、を前記コネクタ挿入孔に設けたことを特徴とする携帯電話機用充電器。
【発明の詳細な説明】
【技術分野】
【０００１】
本発明は、携帯電話機を充電する際に利用する携帯電話機用充電器に関する。
【背景技術】
【０００２】
今日、携帯電話機の普及は目覚ましい。この携帯電話機は、内蔵バッテリーを有し、このバッテリー容量が無くなると携帯電話機用充電器（以下、単に充電器と記載する）を接続し充電して利用するようになっている。
【０００３】
このような携帯電話機は、多くのメーカから製造され、方式も種々存在している。種々の方式として、例えば日本の携帯電話機に使われているデジタル無線通信方式（ＰＤＣ）の携帯電話機、複数の発信者の音声信号にそれぞれ異なる符号を乗算し、すべての音声信号を合成して１つの周波数を使って送り、受け手は自分と会話している相手の符号を合成信号に乗算することにより、相手の音声信号のみを取り出すことができるようにした符号分割多重接続（ＣＤＭＡ）方式の携帯電話機、国際電機通信連合（ＩＴＵ）の定めた次世代携帯電話機方式の標準規格ＩＭＴ−２０００の技術仕様の一つである「Ｗ−ＣＤＭＡ」を採用した方式（ＦＯＭＡ）の携帯電話機等がある。
【０００４】
そして、これら各方式の携帯電話機では、その充電器との接続形状も異なるため、専用の充電器が用いられている。かかる充電器には、いわゆるアダプタ電源や乾電池等の携帯性を重視した携帯用電源等がある。
【０００５】
このような背景の下で、１台の充電器で方式の異なる複数種の携帯電話機が充電できるようにしたい等のニーズが生じ種々の提案がなされている。
【０００６】
例えば、充電器が方式の異なる携帯電話機と接続できるように変換アダプタを設ける構成が提案されている（特許文献１参照）。
【特許文献１】実用新案登録第３０８４２６３号公報
【発明の開示】
【発明が解決しようとする課題】
【０００７】
しかしながら、上記提案では、変換アダプタは単に充電器側のコネクタに挿入されるだけの構成であるため、常に２種類のコネクタ（本来のコネクタと、変換アダプタの２つ）を利用することになり接続部が長くなって破損しやすくなったり、変換アダプタの挿入量が足りず充電されていなかったり、過度に挿入しようとしたりして変換アダプタや充電器側のコネクタが破損したりする恐れがあった。
【０００８】
また、変換アダプタは一見して表裏対称な形状であるため、挿入方向については端子の配列を確認したり、実際に挿入してみたりして確認しなければならず不便であった。
【０００９】
そこで、本発明は、挿脱可能なコネクタで、安価、かつ、充電の信頼性が高い利便性に富んだ携帯電話機用充電器を提供することを目的とする。
【課題を解決するための手段】
【００１０】
上記課題を解決するため、請求項１にかかる携帯電話機用充電器は、種々の方式の携帯電話機に充電電力を供給する電池が収納される充電器本体と、前記携帯電話機における電源端子の仕様に対応して形成されて、当該電源端子に挿脱可能に設けられた携帯側端子部と、前記充電器本体の先端に形成されたコネクタ挿入孔に挿脱可能に設けられた充電器側端子部とを備えるコネクタとを有し、かつ、該コネクタの面に、前記コネクタ挿入孔内に設けられている係合突起と係合する係合溝が形成されて、前記携帯電話機に適合した仕様の前記携帯側端子部を持つ前記コネクタを選択し、その前記充電器側端子部を前記コネクタ挿入孔に挿着して、前記係合溝と係合突起と係合させることにより前記充電器本体から当該コネクタの離脱を規制し、当該係合を解除すると前記コネクタが前記充電器本体から離脱できるようにしたものである。
【００１１】
これにより、挿脱可能なコネクタであって、方式の異なる複数の携帯電話機の充電に利用することが可能となり、安価、かつ、充電の信頼性の高い、利便性に富んだ携帯電話機用充電器を提供することができる。
【００１２】
請求項２に係る発明は、種々の方式の携帯電話機に充電電力を供給する電池が収納される充電器本体と、前記携帯電話機における電源端子の仕様に対応して形成され、当該電源端子に挿脱可能に設けられた携帯側端子部と、前記充電器本体の先端に形成されたコネクタ挿入孔に挿脱可能に設けられた充電器側端子部と、前記携帯側端子部と充電器側端子部との間に設けられて、当該携帯側端子部及び充電器側端子部と形状が異なる一定仕様の基台と、少なくとも該基台を包嵌するコネクタケースと、該コネクタケースの面に設けられた係合溝と、この係合溝と同一面又は異なる面に設けられた複数の端子板とを備えるコネクタとを有し、かつ、前記コネクタ挿入孔に前記コネクタを挿着した際に、弾性体で付勢されて前記係合溝の底面を押圧しながら当該係合溝に係合する係合突起と、前記端子板と当接して弾性変形することにより当該端子板を押圧して該端子板と密に接触する電力供給端子と、を前記コネクタ挿入孔に設けたものである。
【００１３】
これにより、挿脱可能なコネクタであって、方式の異なる複数の携帯電話機の充電に利用することが可能となり、安価、かつ、充電の信頼性の高い、利便性に富んだ携帯電話機用充電器を提供することができる。
【００１４】
請求項３に係る発明は、種々の方式の携帯電話機に充電電力を供給する電池が収納される充電器本体と、前記携帯電話機における電源端子の仕様に対応して形成され、当該電源端子に挿脱可能に設けられた携帯側端子部と、前記充電器本体の先端に形成されたコネクタ挿入孔に挿脱可能に設けられた充電器側端子部と、前記充電器側端子部が内包されると共に、前記携帯側端子部が突出するように設けられたコネクタケースと、該コネクタケースの１の面に形成された係合溝と、該係合溝が形成された面と同一面又は異なる面に設けられて、前記充電器側端子部に電気的に接続された前記複数の端子板とを備えるコネクタとを有し、かつ、前記コネクタ挿入孔に前記コネクタを挿着した際に、弾性体で付勢されて前記係合溝の底面を押圧しながら当該係合溝に係合する係合突起と、前記端子板と当接して弾性変形することにより当該端子板を押圧して該端子板と密に接触する電力供給端子と、を前記コネクタ挿入孔に設けたものである。
【００１５】
これにより、挿脱可能なコネクタであって、方式の異なる複数の携帯電話機の充電に利用することが可能となり、安価、かつ、充電の信頼性の高い、利便性に富んだ携帯電話機用充電器を提供することができる。
【発明の効果】
【００１６】
本発明によれば、挿脱可能なコネクタであって、方式の異なる複数の携帯電話機の充電に利用することが可能となり、安価、かつ、充電の信頼性の高い、利便性に富んだ携帯電話機用充電器を提供することができる。
【発明を実施するための最良の形態】
【００１７】
本発明の実施の形態を図を参照して説明する。図１は本発明に係る携帯電話機用充電器２の斜視図であり、図２は充電器本体３１の断面図である。図３は、充電器本体３１からキャップ３２を外した状態を示す図であり、図４はコネクタ４ａの断面図である。また図５は、携帯電話機６にコネクタ４（４ａ〜４ｃ）を介して携帯電話機用充電器２を挿着して充電する際の様子を示した斜視図であり、図６はコネクタ４ａの裏面図であり、他の方式のコネクタ４ｂ、４ｃも同様の構成となっている。以下、携帯電話機用充電器２を単に充電器２と記載する。
【００１８】
なお、携帯電話機６がＦＯＭＡ方式、ＣＤＭＡ方式、ＰＤＣ方式等により、携帯電話機６における電源端子の寸法等の仕様が異なり、これに応じてこの電源端子に装着されるコネクタ４の携帯側端子部１６の仕様も異なる。図１においては、かかるＦＯＭＡ方式に対応した仕様のコネクタ４をコネクタ４ａ、ＣＤＭＡ方式に対応した仕様のコネクタ４をコネクタ４ｂ、ＰＤＣ方式に対応した仕様のコネクタ４をコネクタ４ｃとして示している。
【００１９】
コネクタ４は、充電器２と携帯電話機６とを接続する機能をなし、図４に示すように、上コネクタケース１１、下コネクタケース１２及び端子部１３とを主要構成として、これらがアクリル、ポリカーボネート、ＡＢＳ（Ａｃｒｙｌｏｎｉｔｒｉｌｅ  Ｂｕｔａｄｉｅｎｅ  Ｓｔｙｒｅｎｅ）等の合成樹脂により形成されている。
【００２０】
端子部１３は、上下面に凸状突起１４が形成された基台１５と、該基台１５から突出して設けられた携帯側端子部１６とにより形成され、基台１５を貫通して端子金具１７が設けられている。この端子金具１７の一端は携帯側端子における端子１８をなし、他端は充電器側端子部１９を構成している。
【００２１】
なお、携帯電話機６の電源端子形状に対応して携帯側端子部１６の寸法等の仕様も異なるが、いずれの方式の場合であっても基台１５は同じ寸法等の仕様に形成されている。図１２は、各方式のコネクタ４ａ〜４ｃの携帯側端子部１６を望む図で、基台１５の幅Ｌａ，高さＬｂ，奥行きＬｃ（図４参照）は各コネクタ４ａ〜４ｃで同じ値になっている。
【００２２】
下コネクタケース１２の上面は、図４に示すように、２つの面２０ａ，２０ｂを有して、後述するようにコネクタ４を充電器２に挿入する際の摺動面２０をなしている。なお、２つの面２０ａ，２０ｂは、段差面２０ｃを介して連なり、この段差面２０ｃは傾斜し、その段差はＬ１に設定されている。
また、下コネクタケース１２における携帯側端子部１６方向の内壁には、基台１５の凸状突起１４が嵌合する基台嵌合部をなす凹部２１が形成され、他方の充電器側端子部１９には後述する電力供給端子２２が通る端子窪２３が形成されている。
【００２３】
上コネクタケース１１は、表面に金やニッケル、クロム、スズ等の金属がメッキされると共に端子金具１７における充電器側端子部１９と無鉛半田等により接続される端子板２４を備える基板２５が設けられ、この基板２５は端子窪２３の底面をなすように配設されている。また、この上コネクタケース１１の内壁には、基台１５の凸状突起１４が嵌合する凹部２１が形成され、充電器側端子部１９の方向の上面には充電器２の係合突起２６が係合する係合溝２７が形成されている。
【００２４】
端子板２４に金メッキした場合には、特に端子板２４が酸化して電力供給端子２２との接触抵抗が大きくなるのをさけることができ、また金は柔らかいため、当該電力供給端子２２が微妙に変形等していても確実に接触することができる利点がある。
【００２５】
なお、図１に示すように、端子板２４はスペース６５を介して３つ設けられているが、２つは正・負電源用の電極であり、残り１つは充電器２と携帯電話機６とが接続されたことを検出するためのもので、かかる機能は後述する回路基板４９が有している。
【００２６】
上コネクタケース１１と下コネクタケース１２とは、溶着、係合、接着等の手段により端子部１３を挟んで一体化される。このとき、上述したように端子部１３における携帯側端子部１６の寸法が異なっていても、基台１５は同じ寸法に形成されているので、ＰＤＣ方式、ＣＤＭＡ方式、ＦＯＭＡ方式用の端子部１３に対して共通の上コネクタケース１１と下コネクタケース１２とを用いることができ、部材の共有化によるコストダウンが可能になっている。
【００２７】
次に、充電器２の構成について説明する。充電器２は、電池３０が収納されるケース本体である充電器本体３１、この充電器本体３１の蓋をなすキャップ３２を備え、これら充電器本体３１及びキャップ３２は、アクリル、ポリカーボネート、ＡＢＳ等の合成樹脂により形成されている。
【００２８】
なお、電池３０としては、アルカリ電池、マンガン電池、ニッカド電池、ニッケル水素電池、リチウムイオン電池、ニッケルマンガン電池、オキシライド電池等の種々の電池が利用可能である。特に、その電力容量が大きいことからアルカリ電池、ニッケルマンガン電池、オキシライド電池が好ましい。
【００２９】
充電器本体３１は、上ケース３４と下ケース３５とからなり、これらが溶着、接着又は係合されて一体の充電器本体３１を形成し、その内側底部（例えば、図２において左側）には、底板３６が設けられ、この底板３６に電池端子３７が設けられている。
【００３０】
また、充電器本体３１の頭部（例えば、図２において右側）にはキャップ３２が嵌合する開口３８が設けられ、この開口近傍の内壁にキャップ係合部３９が周設されている。
【００３１】
キャップ３２は、上キャップ材４１と下キャップ材４２とからなり、これらが溶着、接着、係合されて一体のキャップ３２を形成して、頂部側に向かい細くなっている。
そして、このキャップ３２は、開口３８側端部の外壁に周設されたキャップ被係合部４５、上面に設けられたロック部４７、頂部側に設けられたコネクタ挿入孔４８、内部に設けられた充電回路である回路基板４９等を有している。
【００３２】
キャップ被係合部４５は、ケース本体開口側の端部近傍における外壁周に突出して設けられ、キャップ３２を充電器本体３１の開口３８に宛い押し込むことにより、これらキャップ３２及び充電器本体３１が弾性変形してキャップ被係合部４５がキャップ係合部３９に嵌合してキャップ３２と充電器本体３１とが係合される。そして、充電器本体３１の開口３８から電池３０を出し入れするようになっている。
【００３３】
コネクタ挿入孔４８は、コネクタ４が挿脱される概略矩形の開孔で、キャップ３２の頂部に設けられている。このときコネクタ挿入孔４８を形成する周囲の肉厚ｔ１は、図２に示すように他の部分の肉厚ｔ２より適宜厚く設定されて、コネクタ４から力を受けた際でも、この力に耐えうるようになっている。
【００３４】
ロック部４７は、上キャップ材４１に開口して設けられたボタン穴５０、一端が該ボタン穴５０に遊嵌するロックアーム５１、該ロックアーム５１を付勢する付勢部５２を有している。
【００３５】
ロックアーム５１は、一端がボタン穴５０と略同じ形状に形成されて、当該ボタン穴５０に遊嵌する操作ボタン５５をなし、他端に下キャップ材４２の方向に突出する係合突起２６が設けられて、その略中間部分の左右には上キャップ材４１に形成された図示しないピン穴に挿嵌される図示しない揺動ピンが形成されている。この係合突起２６は、図７に示すように横幅が適宜広く形成されて、その先端は鋭角に形成されている。
【００３６】
付勢部５２は、上キャップ材４１を操作ボタン５５の下側までＬ字状に延設して形成された付勢材支持板５６、該付勢材支持板５６と操作ボタン５５との間に圧縮して配設されて、当該操作ボタン５５を上キャップ材４１の表面側に付勢する（即ち、係合突起２６を下キャップ材４２側に付勢する）コイルバネ５８を有している。
【００３７】
そして、この付勢部５２により付勢された操作ボタン５５は、通常状態では上キャップ材４１と同一面をなすように形成されて、充電器２に軽くさわった程度ではコネクタ４との係合が解除しないようになっている。
【００３８】
なお、以下の説明では付勢部５２としてコイルバネ５８を例に説明するが、板バネ、スポンジ、風船のような弾性体等であっても良く、また図８に示すように上キャップ材４１の弾性を利用するように付勢材支持板５６の先端部をＵ字状に折り曲げて、操作ボタン５５を付勢する構成であっても良い。
【００３９】
回路基板４９は、下コネクタケース１２における段差面２０ｃの段差Ｌ１より適宜小さい厚みＬ２を備えて（Ｌ２≦Ｌ１）、下キャップ材４２に固着して設けられ、少なくとも２個の電力供給端子２２が固着されている。
【００４０】
この電力供給端子２２は、当該下キャップ材４２に設けられた電池端子６０に接続されて、充電器本体３１から回路基板４９を介して電力供給路として機能している。
電力供給端子２２は、リン青銅等の弾性に富む金属材料から形成された側面視概略「ヘ」字状をなし、その屈曲部分がコネクタ４の端子板２４と弾性力により接触する構成となっている。
【００４１】
次に、この構成の充電器２及びコネクタ４を用いて、携帯電話機６の充電を行う場合について説明する。
この場合、説明の都合から、先ず充電器２にコネクタ４を挿着し、その後に携帯電話機６を接続する場合を例に説明する。
【００４２】
先ず、キャップ３２を充電器本体３１から外して、４本の単３アルカリ電池３０を挿着し、当該キャップ３２を充電器本体３１の開口に宛い押し込む。この押し込みにより、キャップ被係合部４５がキャップ係合部３９に当接して、充電器本体３１とキャップ３２とが微妙に弾性変形して嵌合し合う。
【００４３】
このように電池３０が装填された状態で、移動先等において携帯電話機６のバッテリ容量が低下すると、コネクタ４を充電器２のコネクタ挿入孔４８に挿着する。
このとき、コネクタ４は使用する携帯電話機６の方式に適合したものであり、ユーザが複数の方式の携帯電話機６を利用するような場合は、複数のコネクタ４を携帯することになる。
このコネクタ４は、キャラメルより少し大きな寸法であるので、複数のコネクタ４を携帯しても荷物になったりして取り扱いに困るようなことはない。
【００４４】
そして、図９に示すように、コネクタ４をコネクタ挿入孔４８に挿入すると、コネクタ４の端部がロック部４７の係合突起２６に当接して、当該係合突起２６を持ち上げると共に、端子板２４が電力供給端子２２と当接して、当該電力供給端子２２を弾性変形させながら摺擦するようになる。
【００４５】
このとき、回路基板４９とロックアーム５１との間が空間６２となっていると、コネクタ４が押し込まれ過ぎることが危惧されるが、コネクタ４の摺動面２０には回路基板４９の端部と当接するように段差面２０ｃが設けられているので、この段差面２０ｃが回路基板４９に当接した時点で挿入が規制されるようになっている。なお、この空間６２にコネクタの押し込まれすぎを防止するように衝立等を設けてもよい。
【００４６】
なお、コネクタ４をコネクタ挿入孔４８に挿入する際に、図１０に示すように、裏返しの状態（係合溝２７が回路基板４９側）で挿入しようとすることが起きるが、段差面２０ｃが上キャップ材４１のコネクタ挿入孔４８に当たるので、誤挿入を容易に知ることができる。
【００４７】
従って、ユーザは、コネクタ４の挿入量を気にすることなく侵入が停止するまで挿入すれば、確実に端子板２４と電力供給端子２２とを接触させることが可能になり利便性が向上すると共に充電の信頼性が向上する。
【００４８】
このようにして、コネクタ４が所定位置まで挿入されると、係合突起２６の先端が係合溝２７に嵌り、コネクタ４の挿着が完了する。
コネクタ４が挿着された状態では、コイルバネ５８により付勢された係合突起２６が、当該コネクタ４を回路基板４９側に押圧し、また弾性変形した電力供給端子２２はコネクタ４を係合突起２６側に付勢することになるので、電力供給端子２２と端子板２４とが密に接触して、当該接触部における抵抗が増大するようなことが無く良好な電気接触状態が達成される。
【００４９】
ところで、コネクタ挿入孔４８の寸法は、コネクタ４の外寸より適宜大きく設計されている。
これは、充電器２に対してコネクタ４が容易に挿脱できるようにするためであるが、かかる寸法差によりコネクタ４は図７に示したように横振れしたり、図１１に示すように縦振れしたりする事態が起きる。
しかし、係合突起２６の先端部は所定の幅を有すると共に、係合溝２７も所定幅の溝であるため、係合突起２６と係合溝２７とは略面接触した状態（少なくとも２点以上で接触する状態）になる。従って、横振れを規制することができる。
【００５０】
無論、コネクタ４の挿入量が大きいと、係合突起２６と係合溝２７とは、上述した面接触した状態とはならない。
先に説明したように、コネクタ４の段差面２０ｃが回路基板４９に当接して、その挿入量が規制されるが、面接触した状態で挿入量が規制されるようにするには、段差面２０ｃと回路基板４９との当接位置を高精度で設定しなければならず、著しいコストアップの要因となる。
【００５１】
そこで、本発明では、段差面２０ｃを回路基板４９に向かって傾斜させている。これにより係合突起２６の先端部が係合溝２７内に位置した時点で挿入が規制されるようにすれば、その後挿入力を除くとコネクタ４は係合突起２６により回路基板４９方向に押され、段差面２０ｃが回路基板４９の端部に沿って滑り落ちるようになるので、自動的に係合突起２６と係合溝２７とが面接触した状態となり、上述した高精度な加工や組み立てが不要になりコストアップを抑制することが可能になる。
【００５２】
以上のようにして、充電器２にコネクタ４が挿着され、このコネクタ４に携帯電話機６が挿着されて、充電が開始される。このとき、充電中の充電器２に手を触れたりする場合があるが、このような場合であってもコネクタ４はロック部４７によりロックされているので、コネクタ４が外れて充電が正常に行われなくなると言った不都合を抑制することが可能になる。
充電が完了すると、携帯電話機６をコネクタ４から取り外す。
【００５３】
なお、これまで説明した実施例においては、コネクタ４、キャップ３２、充電器本体３１は上下に分割された部材を、溶着、接着、係合等の方法により一体化する場合について説明したが、本発明はこれ限定されるものではなく、一体成型品としてもよい。この場合、例えばコネクタケースは、端子部１３を挟んで一体成形されることは言うまでもない。
【００５４】
また、上記説明では、携帯電話機６の方式がＰＤＣ方式、ＣＤＭＡ方式、ＦＯＭＡ方式等であっても基台１５の寸法は同じ寸法にする場合について説明したが、本発明はこれに限定されるものではなく異なる寸法であっても良い。
【図面の簡単な説明】
【００５５】
【図１】携帯電話用充電器の斜視図である。
【図２】充電器本体の断面図である。
【図３】充電器本体からキャップを取り外した状態を示す斜視図である。
【図４】充電器用コネクタの断面図である。
【図５】携帯電話機にコネクタを介して携帯電話機用充電器を挿着して充電する際の様子を示した図である。
【図６】コネクタの裏面図である。
【図７】充電器用コネクタの係合溝に係合突起が係合している状況を示す上面図である。
【図８】付勢材支持板の先端部をＵ字状に折り曲げて、付勢部を構成した際の断面図である。
【図９】充電器に充電器用コネクタを挿着する際の挿着手順を示す図である。
【図１０】充電器用コネクタの表裏を逆にして挿入した場合の挿入状態を示す断面図である。
【図１１】係合突起により充電器用コネクタが押される状態を示す図である。
【図１２】仕様の異なるコネクタにおける携帯側端子部側からの図である。
【符号の説明】
【００５６】
２  充電器（携帯電話機用充電器）
４  コネクタ（コネクタ）
６  携帯電話機
１１  上コネクタケース
１２  下コネクタケース
１３  端子部
１４  凸状突起
１５  基台
１６  携帯側端子部
１７  端子金具
１８  端子
１９  充電器側端子部
２０  摺動面
２０ｃ  段差面
２０ａ，２０ｂ  面
２１  凹部
２２  電力供給端子
２３  端子窪
２４  端子板
２５  基板
２６  係合突起
２７  係合溝
３０  電池
３１  充電器本体
３２  キャップ
３４  上ケース
３５  下ケース
３６  底板
３７（６０）  電池端子
３８  開口
３９  キャップ係合部
４１  上キャップ材
４２  下キャップ材
４５  キャップ被係合部
４７  ロック部
４８  コネクタ挿入孔
４９  回路基板
５０  ボタン穴
５１  ロックアーム
５２  付勢部
５５  操作ボタン
５６  付勢材支持板
５８  コイルバネ
６２  空間
【図１】
2006006095.tif 000003
【図２】
2006006095.tif 000004
【図３】
2006006095.tif 000005
【図４】
2006006095.tif 000006
【図５】
2006006095.tif 000007
【図６】
2006006095.tif 000008
【図７】
2006006095.tif 000009
【図８】
2006006095.tif 000010
【図９】
2006006095.tif 000011
【図１０】
2006006095.tif 000012
【図１１】
2006006095.tif 000013
【図１２】
2006006095.tif 000014
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
種々の方式の携帯電話機に充電電力を供給する電池が収納され、その先端にコネクタ挿入孔が設けられ、このコネクタ挿入孔内に弾性体で付勢された係合突起及び該係合突起を動作させる操作ボタンが設けられた充電器本体と、
前記携帯電話機における電源端子の仕様に対応して形成されて、当該電源端子と挿脱可能に設けられた携帯側端子部、該携帯側端子部と電気的に接続されると共に前記コネクタ挿入孔に挿脱可能に設けられた充電器側端子部及び外面に形成されて前記係合突起と係合可能に設けられた係合溝を具備するコネクタとを有し、かつ、
前記電源端子の仕様に対応する前記携帯側端子部を具備した前記コネクタを選択して、その充電器側端子部を前記コネクタ挿入孔に挿着することにより前記係合溝と係合突起とを係合させて前記充電器本体から当該コネクタの離脱を規制し、前記操作ボタンを操作して該係合解除することにより前記充電器本体から前記コネクタの離脱できるようにしたことを特徴とする携帯電話機用充電器。
【請求項２】
種々の方式の携帯電話機に充電電力を供給する電池が収納され、その先端にコネクタ挿入孔が設けられた充電器本体と、
前記携帯電話機における電源端子の仕様に対応して形成されたコネクタとを有し、かつ、
該コネクタが、前記電源端子と接続される端子を具備して前記電源端子に挿脱可能に設けられた携帯側端子部と、
該携帯側端子部の端子と電気的に接続された複数の端子板を具備して前記コネクタ挿入孔に挿脱可能に設けられた充電器側端子部と、
前記携帯側端子部と前記充電器側端子部との間に設けられて前記携帯側端子部の端子と前記端子板とを接続する所定形状の基台と、
少なくとも前記基台を包嵌するコネクタケースと、
該コネクタケースの面に設けられた係合溝とを備え、
前記コネクタケース、基台及び充電器側端子部が、前記携帯電話機の方式に関わらず同一形状に形成され、前記携帯側端子部のみが前記携帯電話機の方式に応じた形状に形成され、
また前記コネクタ挿入孔が、前記コネクタを前記コネクタ挿入孔に挿着した際に、前記係合溝を押圧しながら当該係合溝に係合する係合突起と、
該係合突起を前記係合溝側に付勢する弾性体と、
該弾性体の弾性力に抗して前記係合突起を前記係合溝から退避させて、当該係合突起と前記係合溝との係合解除を行う操作ボタンと、
挿入された前記コネクタの端子板に当接して、該端子板を押圧しながら該端子板と密接するように弾性変形することにより電源を前記端子板を介して供給可能にする電力供給端子とを備えることを特徴とする携帯電話機用充電器。
【請求項３】
種々の方式の携帯電話機に充電電力を供給する電池が収納され、その先端にコネクタ挿入孔が設けられた充電器本体と、
前記携帯電話機における電源端子の仕様に対応して形成されたコネクタとを有し、かつ、
該コネクタが、前記電源端子と接続される端子を具備して前記電源端子に挿脱可能に設けられた携帯側端子部と、
該携帯側端子部の端子と電気的に接続された複数の端子板を具備して前記コネクタ挿入孔に挿脱可能に設けられた充電器側端子部と、
前記充電器側端子部が内包されると共に、前記携帯側端子部が突出するように設けられたコネクタケースと、
該コネクタケースの面に設けられた係合溝とを備え、
また前記コネクタ挿入孔が、前記コネクタを前記コネクタ挿入孔に挿着した際に、前記係合溝を押圧しながら当該係合溝に係合する係合突起と、
該係合突起を前記係合溝側に付勢する弾性体と、
該弾性体の弾性力に抗して前記係合突起を前記係合溝から退避させて、当該係合突起と前記係合溝との係合解除を行う操作ボタンと、
挿入された前記コネクタの端子板に当接して、該端子板を押圧しながら該端子板と密接するように弾性変形することにより電源を前記端子板を介して供給可能にする電力供給端子とを備えることを特徴とする携帯電話機用充電器。
【手続補正２】
【補正対象書類名】明細書
【補正対象項目名】００１０
【補正方法】変更
【補正の内容】
【００１０】
上記課題を解決するため、請求項１にかかる携帯電話機充電器は、種々の方式の携帯電話機に充電電力を供給する電池が収納され、その先端にコネクタ挿入孔が設けられ、このコネクタ挿入孔内に弾性体で付勢された係合突起及び該係合突起を動作させる操作ボタンが設けられた充電器本体と、携帯電話機における電源端子の仕様に対応して形成されて、当該電源端子と挿脱可能に設けられた携帯側端子部、該携帯側端子部と電気的に接続されると共にコネクタ挿入孔に挿脱可能に設けられた充電器側端子部及び外面に形成されて係合突起と係合可能に設けられた係合溝を具備するコネクタとを有し、かつ、電源端子の仕様に対応する携帯側端子部を具備したコネクタを選択して、その充電器側端子部をコネクタ挿入孔に挿着することにより係合溝と係合突起とを係合させて充電器本体から当該コネクタの離脱を規制し、操作ボタンを操作して該係合解除することにより充電器本体からコネクタの離脱できるようにしたものである。
【手続補正３】
【補正対象書類名】明細書
【補正対象項目名】００１２
【補正方法】変更
【補正の内容】
【００１２】
請求項２に係る発明は、種々の方式の携帯電話機に充電電力を供給する電池が収納され、その先端にコネクタ挿入孔が設けられた充電器本体と、携帯電話機における電源端子の仕様に対応して形成されたコネクタとを有し、かつ、該コネクタが、電源端子と接続される端子を具備して電源端子に挿脱可能に設けられた携帯側端子部と、該携帯側端子部の端子と電気的に接続された複数の端子板を具備してコネクタ挿入孔に挿脱可能に設けられた充電器側端子部と、携帯側端子部と充電器側端子部との間に設けられて携帯側端子部の端子と端子板とを接続する所定形状の基台と、少なくとも基台を包嵌するコネクタケースと、該コネクタケースの面に設けられた係合溝とを備え、コネクタケース、基台及び充電器側端子部が、携帯電話機の方式に関わらず同一形状に形成され、携帯側端子部のみが携帯電話機の方式に応じた形状に形成され、またコネクタ挿入孔が、コネクタをコネクタ挿入孔に挿着した際に、係合溝を押圧しながら当該係合溝に係合する係合突起と、該係合突起を係合溝側に付勢する弾性体と、該弾性体の弾性力に抗して係合突起を係合溝から退避させて、当該係合突起と係合溝との係合解除を行う操作ボタンと、挿入されたコネクタの端子板に当接して、該端子板を押圧しながら該端子板と密接するように弾性変形することにより電源を端子板を介して供給可能にする電力供給端子とを備えるものである。
【手続補正４】
【補正対象書類名】明細書
【補正対象項目名】００１４
【補正方法】変更
【補正の内容】
【００１４】
請求項３に係る発明は、種々の方式の携帯電話機に充電電力を供給する電池が収納され、その先端にコネクタ挿入孔が設けられた充電器本体と、携帯電話機における電源端子の仕様に対応して形成されたコネクタとを有し、かつ、該コネクタが、電源端子と接続される端子を具備して電源端子に挿脱可能に設けられた携帯側端子部と、該携帯側端子部の端子と電気的に接続された複数の端子板を具備してコネクタ挿入孔に挿脱可能に設けられた充電器側端子部と、充電器側端子部が内包されると共に、携帯側端子部が突出するように設けられたコネクタケースと、該コネクタケースの面に設けられた係合溝とを備え、コネクタ挿入孔が、コネクタをコネクタ挿入孔に挿着した際に、係合溝を押圧しながら当該係合溝に係合する係合突起と、該係合突起を係合溝側に付勢する弾性体と、該弾性体の弾性力に抗して係合突起を係合溝から退避させて、当該係合突起と係合溝との係合解除を行う操作ボタンと、挿入されたコネクタの端子板に当接して、該端子板を押圧しながら該端子板と密接するように弾性変形することにより電源を端子板を介して供給可能にする電力供給端子とを備えるものである。